(57)【要約】キオスクを更新するためのシステム、デバイス、および方法は、第１の開口部を有する第１の面板をサブシャーシから除去するステップと、第１の開口部に対応する第１のサイズを有する第１のディスプレイをサブシャーシから除去するステップと、第２のサイズを有する第２のディスプレイをサブシャーシに固着するステップと、第２の面板をサブシャーシに取り付けるステップであって、第２の面板は、第２のディスプレイに対応する第２の開口部を有する、ステップとを含む。
2018532207.tif 000002
【特許請求の範囲】
【請求項１】
ディスプレイと、ユーザ双方向構成要素の一部をその中に収納するように構成される、シャーシとを含むタイプのキオスクを保守する方法であって、
第１の構成要素ドアを前記シャーシから除去するステップであって、前記第１の構成要素ドアは、第１のユーザ双方向構成要素を収容するように適合される第１の構成を有する、ステップと、
前記第１のユーザ双方向構成要素を除去するステップと、
前記第１のユーザ双方向構成要素と第２のユーザ双方向構成要素を交換するステップと、
第２の構成要素ドアを前記シャーシ上に据え付けるステップであって、前記第２の構成要素ドアは、前記第２のユーザ双方向構成要素を収容するように適合される第２の構成を有する、ステップと、
を含む、方法。
【請求項２】
前記第１および第２のユーザ双方向構成要素は、同一機能を行うが、サイズ、形状、および前記シャーシ内の場所のうちの少なくとも１つにおいて異なる、請求項１に記載の方法。
【請求項３】
前記第１および第２のユーザ双方向構成要素はそれぞれ、プリンタ、キーパッド、スキャナ、および支払モジュールのうちの１つを備える、請求項１に記載の方法。
【請求項４】
キオスクにおいて使用するためのサブシャーシであって、
ディスプレイ周界によって特徴付けられるディスプレイを収納するように構成されるフレームと、
前記ディスプレイ周界に対応する開口部を有する略平面面板と、
を備え、
前記面板は、前記ディスプレイが前記開口部を通して可視であるように、前記フレーム上に載置されるように構成される、サブシャーシ。
【請求項５】
前記フレームおよび前記面板は、前記面板が前記フレーム上に載置されると、継目を形成し、前記サブシャーシはさらに、
前記サブシャーシに固着され、前記継目に沿って延在する、ブレードを備える、請求項４に記載のサブシャーシ。
【請求項６】
前記ブレードは、前記フレームおよび前記面板の個別の側縁を包囲する内向きに面したＣ−チャネルを備える、請求項４に記載のサブシャーシ。
【請求項７】
前記フレームはさらに、少なくとも２つの異なるディスプレイサイズを前記開口部の中に選択的に固着するように構成される、ブラケットアセンブリを備える、請求項４に記載のサブシャーシ。
【請求項８】
キオスクシャーシであって、
第１および第２の反対に配置され、垂直に延在するＵ−チャネル側部材と、
前記第１の側部材と第２の側部材との間に配置される、上部領域、中央領域、および底部領域と、
前記中央領域内に配置され、前記第１の側部材と第２の側部材との間に延在する、筋交ブレースであって、前記筋交ブレースは、ともに固着される２つの交差部材を備える、筋交ブレースと、
を備える、キオスクシャーシ。
【請求項９】
前記上部領域内に配置される、ディスプレイと、
前記２つの交差部材間において前記中央領域内に配置される、電力供給源と、
をさらに備える、請求項８に記載のキオスクシャーシ。
【請求項１０】
第１および第２のテーパ状管状補強部材をさらに備え、前記第１および第２のテーパ状管状補強部材は、それぞれ、前記第１および第２の側部材に固着され、前記底部領域内に配置される、請求項８に記載のキオスクシャーシ。
【請求項１１】
カウンタに搭載するために構成されるキオスクであって、前記カウンタは、水平表面を有する第１の部分と、略垂直構成要素を有する第２の部分とを含むタイプであり、前記キオスクは、
第１の略長方形区画であって、前記水平表面の上方に延在し、前記第１の区画の正面表面上の略平面タッチスクリーンディスプレイ、前記第１の区画の背面表面上に配置されるアクセスパネル、および前記タッチスクリーンを使用して選択されたアイテムのための支払を処理するように構成される支払モジュールを含む、第１の区画と、
前記第１の区画から下向きに延在する第２の略長方形区画と、
を備え、
前記第１の区画の正面表面は、１０〜８０度の範囲内において前記カウンタの水平表面に対して第１の角度で傾斜され、
前記水平表面の少なくとも一部は、前記第１の区画と前記第２の区画との間に配置される、
キオスク。
【請求項１２】
前記キオスクシャーシの正面側に接続される電子構成要素を含むサブシャーシをさらに備え、
前記電子構成要素は、前記サブシャーシが閉鎖位置にあるとき、前記底部領域内に配置される、請求項１１に記載のキオスクシャーシ。
【請求項１３】
前記第１の区画はさらに、裏面表面を備え、前記第１の区画の正面表面および裏面表面は、略平行である、請求項１１に記載のキオスク。
【請求項１４】
前記キオスクの周界の周囲に延在する、連続円周方向リングをさらに備える、請求項１１に記載のキオスク。
【請求項１５】
前記カウンタは、その中に形成される起伏を備え、前記キオスクの少なくとも一部は、前記起伏内に着座される、請求項１１に記載のキオスク。
【請求項１６】
前記第１の区画は、前記カウンタに搭載される、請求項１１に記載のキオスク。
【請求項１７】
前記第２の区画は、前記カウンタに搭載される、請求項１１に記載のキオスク。
【請求項１８】
前記第１の区画は、前記第２の区画に接続される、請求項１１に記載のキオスク。
【請求項１９】
前記第１の区画は、前記カウンタの水平表面に係合するように構成される、平坦な水平底部部分を含む、請求項１１に記載のキオスク。
【請求項２０】
前記カウンタは、前記カウンタ辺縁の第２の部分から張り出した軒天を備え、前記キオスクは、前記軒天の一部を受容するように構成される、陥凹を備える、請求項１１に記載のキオスク。
【発明の詳細な説明】
【技術分野】
【０００１】
本発明は、概して、キオスクおよびキオスクシステムに関し、より具体的には、その製造および保守のための改良された方法に関する。
【発明の概要】
【課題を解決するための手段】
【０００２】
本発明の種々の実施形態は、改良されたキオスクおよびその製造のための方法に関する。
【０００３】
他の実施形態は、所有者のその全体的コストを削減するために将来においても有効なキオスクのためのシステムおよび方法を提供する。
【０００４】
他の実施形態は、ねじり力に対抗して主シャーシを補剛するための構造を提供する。
【０００５】
他の実施形態は、カウンタ天板搭載式構造および方法を提供する。
【０００６】
本発明の種々の他の実施形態、側面、および特徴は、以下により詳細に説明される。付加的特徴および特性は、付随の図面ならびに本背景セクションと関連して検討される、後続の発明を実施するための形態および添付の請求項から明白となるであろう。
【図面の簡単な説明】
【０００７】
例示的実施形態が、以降において、同様の数字が同様の要素を示す、以下の図面と併せて説明されるであろう。
【０００８】
【図１】図１は、本発明の例示的実施形態による、デバイスを構成および一新するための実利的構造ならびに機能によって促進される、視覚的に魅力的かつ一貫した外観と雰囲気を呈するキオスクの種々の実施形態を含む、商業施設の概略図である
【０００９】
【図２】図２および３は、本発明の例示的実施形態による、キオスクの自立式バージョンである。
【図３】図２および３は、本発明の例示的実施形態による、キオスクの自立式バージョンである。
【００１０】
【図４】図４および５は、本発明の例示的実施形態による、キオスクの台座バージョンである。
【図５】図４および５は、本発明の例示的実施形態による、キオスクの台座バージョンである。
【００１１】
【図６】図６および７は、本発明の例示的実施形態による、壁搭載式キオスクの概略図である。
【図７】図６および７は、本発明の例示的実施形態による、壁搭載式キオスクの概略図である。
【００１２】
【図８】図８および９は、本発明の例示的実施形態による、支柱搭載式キオスクである。
【図９】図８および９は、本発明の例示的実施形態による、支柱搭載式キオスクである。
【００１３】
【図１０】図１０−１２は、本発明の例示的実施形態による、テーブル実装式キオスクである。
【図１１】図１０−１２は、本発明の例示的実施形態による、テーブル実装式キオスクである。
【図１２】図１０−１２は、本発明の例示的実施形態による、テーブル実装式キオスクである。
【００１４】
【図１３】図１３は、本発明の例示的実施形態による、ブレードおよびリングの横断面図を示す。
【００１５】
【図１４】図１４−１６は、本発明の例示的実施形態による、キオスクサブ構造上へのブレードの組立を図示する。
【図１５】図１４−１６は、本発明の例示的実施形態による、キオスクサブ構造上へのブレードの組立を図示する。
【図１６】図１４−１６は、本発明の例示的実施形態による、キオスクサブ構造上へのブレードの組立を図示する。
【００１６】
【図１７】図１７および１８は、本発明の例示的実施形態による、両面キオスクの概略図を図示する。
【図１８】図１７および１８は、本発明の例示的実施形態による、両面キオスクの概略図を図示する。
【００１７】
【図１９】図１９−２３は、本発明の例示的実施形態による、ディスプレイの交換を図示する。
【図２０】図１９−２３は、本発明の例示的実施形態による、ディスプレイの交換を図示する。
【図２１】図１９−２３は、本発明の例示的実施形態による、ディスプレイの交換を図示する。
【図２２】図１９−２３は、本発明の例示的実施形態による、ディスプレイの交換を図示する。
【図２３】図１９−２３は、本発明の例示的実施形態による、ディスプレイの交換を図示する。
【００１８】
【図２４】図２４−２８は、本発明の例示的実施形態による、構成要素ドア構成を図示する。
【図２５Ａ】図２４−２８は、本発明の例示的実施形態による、構成要素ドア構成を図示する。
【図２５Ｂ】図２４−２８は、本発明の例示的実施形態による、構成要素ドア構成を図示する。
【図２６】図２４−２８は、本発明の例示的実施形態による、構成要素ドア構成を図示する。
【図２７】図２４−２８は、本発明の例示的実施形態による、構成要素ドア構成を図示する。
【図２８】図２４−２８は、本発明の例示的実施形態による、構成要素ドア構成を図示する。
【００１９】
【図２９】図２９−３５は、本発明の例示的実施形態による、キオスクに印加される外力に抵抗するための補剛特徴を図示する。
【図３０】図２９−３５は、本発明の例示的実施形態による、キオスクに印加される外力に抵抗するための補剛特徴を図示する。
【図３１】図２９−３５は、本発明の例示的実施形態による、キオスクに印加される外力に抵抗するための補剛特徴を図示する。
【図３２】図２９−３５は、本発明の例示的実施形態による、キオスクに印加される外力に抵抗するための補剛特徴を図示する。
【図３３】図２９−３５は、本発明の例示的実施形態による、キオスクに印加される外力に抵抗するための補剛特徴を図示する。
【図３４】図２９−３５は、本発明の例示的実施形態による、キオスクに印加される外力に抵抗するための補剛特徴を図示する。
【図３５】図２９−３５は、本発明の例示的実施形態による、キオスクに印加される外力に抵抗するための補剛特徴を図示する。
【００２０】
【図３６】図３６−３９は、本発明の例示的実施形態による、浸水防止および空気流路を図示する。
【図３７】図３６−３９は、本発明の例示的実施形態による、浸水防止および空気流路を図示する。
【図３８】図３６−３９は、本発明の例示的実施形態による、浸水防止および空気流路を図示する。
【図３９】図３６−３９は、本発明の例示的実施形態による、浸水防止および空気流路を図示する。
【００２１】
【図４０】図４０−５２は、本発明の例示的実施形態による、種々のカウンタ天板搭載式キオスク構成を図示する。
【図４１】図４０−５２は、本発明の例示的実施形態による、種々のカウンタ天板搭載式キオスク構成を図示する。
【図４２】図４０−５２は、本発明の例示的実施形態による、種々のカウンタ天板搭載式キオスク構成を図示する。
【図４３】図４０−５２は、本発明の例示的実施形態による、種々のカウンタ天板搭載式キオスク構成を図示する。
【図４４】図４０−５２は、本発明の例示的実施形態による、種々のカウンタ天板搭載式キオスク構成を図示する。
【図４５】図４０−５２は、本発明の例示的実施形態による、種々のカウンタ天板搭載式キオスク構成を図示する。
【図４６】図４０−５２は、本発明の例示的実施形態による、種々のカウンタ天板搭載式キオスク構成を図示する。
【図４７】図４０−５２は、本発明の例示的実施形態による、種々のカウンタ天板搭載式キオスク構成を図示する。
【図４８】図４０−５２は、本発明の例示的実施形態による、種々のカウンタ天板搭載式キオスク構成を図示する。
【図４９】図４０−５２は、本発明の例示的実施形態による、種々のカウンタ天板搭載式キオスク構成を図示する。
【図５０】図４０−５２は、本発明の例示的実施形態による、種々のカウンタ天板搭載式キオスク構成を図示する。
【図５１】図４０−５２は、本発明の例示的実施形態による、種々のカウンタ天板搭載式キオスク構成を図示する。
【図５２】図４０−５２は、本発明の例示的実施形態による、種々のカウンタ天板搭載式キオスク構成を図示する。
【発明を実施するための形態】
【００２２】
以下の発明を実施するための形態は、性質上、単に、例示であって、本発明または本発明の用途および使用を限定することを意図するものではない。さらに、先行背景または以下の発明を実施するための形態に提示される任意の理論によって拘束されることを意図するものではない。
【００２３】
以下の議論の種々の実施形態は、個々のキオスクに関する一方、他の実施形態は、ファーストフードレストラン等の商業施設内に展開されるキオスク群に関する。例えば、キオスク群は、種々のキオスクプラットフォームを横断して一貫した顧客体験を提供するように構成されてもよい。非限定的実施例として、一貫した顧客体験は、顧客ロイヤリティを強化する、機能および視覚的特徴の両方を採用することを伴い得る。この点において、多様なキオスクプラットフォームを横断して一貫した外観と雰囲気を提示する能力は、キオスクの物理的構成要素を取り替え、交換し、視覚的外観を一新する、または構成要素を修理もしくはアップグレードする能力等、実利的特徴によって促進され得る。例示的交換可能構成要素は、垂直側ブレードまたは円周方向リングを含んでもよい。
【００２４】
他の実施形態は、陳腐化の軽減とも称される、キオスクを「将来においても有効にする」ことに関し、これによって構造が、キオスクの中に内蔵され、ディスプレイ画面（例えば、技術をアップグレードするため）および他の構成要素の効率的交換を可能にし、それによって、キオスクの所有者の長期的コストを削減する。
【００２５】
他の実施形態は、両面キオスクに関わり、中心シャーシをその間に伴う。中心シャーシは、キオスクの薄型性を損なうことなく、知的に設置された補強構造の使用を通して捻転を低減または防止する様式で構築される。
【００２６】
他の実施形態は、キオスクの上部の中への液体（例えば、雨、溢れた飲料）の導入を防止する一方、外側表面上の穿孔の必要なく、キオスクを通して気流を可能にする、シャーシおよび面板設計に関する。
【００２７】
他の実施形態は、支柱搭載式、自立式、カウンタ天板搭載式、壁搭載式、テーブル天板、および台座構成等、キオスクを搭載するための種々の技法に関する。
【００２８】
他の実施形態は、ともに単封入体または飾縁内にあって、交換可能円周方向リングによってさらに外接される、等間隔の複数のディスプレイに関する。
【００２９】
ここで図１を参照すると、例示的小売（例えば、レストラン）環境１００は、１つまたはそれを上回る壁搭載式デジタル標識１０２と、ブロックメニュー１０４と、１つまたはそれを上回るカウンタ搭載式デバイス１０６と、１つまたはそれを上回る支柱搭載式デバイス１０８と、１つまたはそれを上回る顧客ロイヤリティデバイス１１０と、１つまたはそれを上回るキオスクテーブル１１２とを含んでもよい。前述のキオスクプラットフォームおよびその関連付けられた特徴ならびに機能は、以下により詳細に説明される。しかしながら、前述のモデルはそれぞれ、デバイスの機能および審美的属性の両方を含む、全体的一貫した顧客体験に寄与することに留意されたい。さらに、特有の審美的特徴の多くは、同様に以下により詳細に説明されるように、構造および機能特徴の結果として有効化ならびに／または実装される。加えて、前述のモデルは、デバイスの交換、アップグレード、一新、修理、および保守の効率化によって、所有者の長期的コストを削減するように設計される種々の構造特徴等、キオスクを購入する、据え付ける、および／または保守する、人物ならびに実体の観点から類似属性を共有する。
【００３０】
図２は、独立して立っている自立式キオスク２０２の正面斜視図であって、図３は、キオスク３０２の側面斜視図であって、デバイスの薄型かつ洗練された特徴に焦点を当てている。一実施形態では、デバイス２０２は、ディスプレイ２０４（タッチ式または別様に双方向式の画面を含む場合もある、もしくはそうではない場合もある）と、スピーカおよび／またはマイクロホンモジュール２０６と、ディスプレイ２０４を実質的に封入する、面板、外板、または飾縁２０８と、正面辺縁部分２１１を含む、デバイスの外側境界を中心として延在する、リング２１０とを含む。
【００３１】
図４は、ディスプレイ間の殆どないくらいの薄い空間４１０によって分離される、第１のディスプレイデバイス４０６および第２のディスプレイデバイス４０８を有する、ディスプレイ領域４０４を含む、屋外のドライブスルー用メニュー４０２の斜視図である。ディスプレイは、例えば、Ｐａｎａｓｏｎｉｃ（ＴＭ）から利用可能な型番ＴＨ−５５ＬＦＶ５０超薄型ベゼル５５’ＬＣＤディスプレイ等の任意の好適なベゼルレス、狭ベゼル、または略ベゼルレス技術を含んでもよい。キオスク４０４はさらに、台座４１８と、任意の数の隣接するディスプレイ（図示される実施例では、２つ）を収容するために、台座４１８に対して好適な角度でフレア状になり得る、フレア状領域４１６とを含む、搭載部４１４を備える。キオスク４０４はまた、スピーカおよび／またはマイクロホン（および／またはカメラ／運動検出器）４１２と、外板４２０と、リング４２２とを含んでもよい。
【００３２】
図５は、長方形搭載部５１０上に搭載される、第１のディスプレイ５０６および第２のディスプレイ５０８を有する、ディスプレイ領域５０４を含む、ドライブスルーメニュー５００の代替実施形態である。キオスク５００は、リング構造５１４によって境界されるディスプレイ領域を封入する、特有の飾縁（面板／外板）５１２を含む。
【００３３】
図６は、ディスプレイ６０２と、ディスプレイを壁に搭載するように構成される、ブラケット６０４と、ディスプレイを封入する、面板６０６と、縁部分６１２、正面に面した辺縁部分６１０、および随意の背面に面した辺縁部分６１４を含む、リング６０８とを断面で図示する、図１の線ＶＩ−ＶＩに沿って得られた壁搭載式キオスク６００の断面図である。図７は、図６のアセンブリの代替実施形態を示し、リング７０８は、縁部分７１２と、正面辺縁７１０とを含むが、類似背面辺縁部分を含まない。
【００３４】
図８は、第１のキオスク８０２と、第２のキオスク８０４と、第１および第２のキオスク間に狭入された中心シャーシまたはキャビネット８０６とを含む、両面支柱搭載式キオスクアセンブリ８００の上部斜視図である。主シャーシの上部は、それぞれ、支柱８１２および８１４に対応する、開口部８０８および８１０を含む。第１の実施形態では、高電圧電力線（図示せず）が、支柱８１２および開口部８０８の内側に沿って延在し、低電圧データ線（図示せず）が、支柱８１４および開口部８１０の内側に沿って延在する。支柱は、上向きに延在し、天井または他の頭上構造（例えば、梁）に搭載するように構成されてもよい。代替実施形態では、電力およびデータ線は、キオスクアセンブリの底部を通して床の下に延設され、上部側支柱を省略してもよい。この場合、キャップ８１６が、開口部８０８、８１０を被覆するために据え付けられてもよい。
【００３５】
図９は、底部支柱９０６と、上部支柱９０８と、「緊急呼出」、「援助要請」、または「非常」ボタン９１２を含む、種々の多様な構成要素（以下により詳細に説明される）を支持するように構成される、構成要素パネル９０２とを備える、両面支柱搭載式キオスク９００の斜視図である。図示される実施形態では、上部支柱は、アラートライト９１０を含む。非常ボタン９１２が押下されると、非常ボタンおよびアラートライトの両方が、例えば、白色から黄色（または任意の他の所望の組み合わせ）に色を変化させ、顧客サービス人員に顧客を支援するようアラートするように構成される。
【００３６】
ここで図１０−１２を参照すると、種々のテーブル搭載式キオスク構成および特徴が、示される。より具体的には、図１０は、略長方形テーブル１００２と、印刷領域１００５を画定する、切頂角１００４と、印刷領域１００５の下側に搭載される、プリンタモジュール１００６と、領収証または他の文書１０１０をユーザに提示するための紙スロット１００８とを含む、テーブルタイプキオスクシステム１００を図示する。システム１０００はさらに、接触型または非接触型支払モジュール（または他の構成要素）１０１２と、好ましくは、リング、ベゼル、または外板１０１６によってフレーム化される、ディスプレイ１０１４とを含む。図示される実施形態では、ディスプレイは、テーブル天板の表面の中に全体として統合され、それと平行である。ディスプレイは、受動的または双方向であってもよい。
【００３７】
図１１は、ディスプレイが、テーブル天板の平面からある角度で上向きに延在する、第１の部分１１０２と、本明細書では、「表面内」実装と称される、テーブル天板の平面内に延在する、第２の部分１１０４とを備える、代替実施形態を示す。図１２は、ディスプレイが、テーブル天板の平面からある角度で上向きに延在する、第１の部分１２０２と、本明細書では、「表面上」実装と称される、テーブル天板の平面と平行に延在するが、そこから離間される、第２の部分１２０４とを含む、さらなる代替実施形態を図示する。なおもさらなる実施形態では、テーブル自体もまた、リング状ディスプレイに加え、リング（図示せず）を有することができる。
【００３８】
以下により詳細に説明されるように、本明細書に説明されるキオスク設計（特に、壁搭載式、カウンタ天板搭載式、およびテーブル天板実装）の多くは、キオスクの周界に外接する、リングを含む。他の実施形態（特に、支柱搭載式および自立式実装）は、キオスクの左および右縁に沿って垂直に延在する、特有のブレードを採用する。図１３を一時的に参照すると、典型的ブレードシステム１３０２の横断面図は、個別の反対に配置されるＣ−形状ブレード１３０８を含み、それぞれ、張力下、概してＣ−クリップに類似する様式において、キオスク１３０６の正面および背面表面を握持するように構成される、個別の端部部分１３１８を含む。各ブレード１３０８はさらに、略線形中央部分１３１４と、中央部分１３１４と各端部部分１３１８との間に配置される、丸みを帯びた部分１３１６とによって特徴付けられる。
【００３９】
図１３を継続して参照すると、典型的リングシステム１３０４の横断面図は、キオスク１３１０の正面および背面表面を握持するように構成される個別の端部部分１３２４を含む、円周方向Ｕ−形状リング１３１２を含む。リング１３１２はさらに、略線形中央部分１３２０と、中央部分１３２０と各端部部分１３２４との間に配置される、丸みを帯びた部分１３２２とによって特徴付けられる。当業者は、リングが、望ましくは、製造を促進するために、断面がより平坦（あまり丸みを帯びていない「角」）であることを理解されるであろう。重要なこととして、ブレード１３０２およびリング１３０４の両方の丸みを帯びた外形は、消費者をキオスクの鋭的縁、締結具、配線、ならびに任意の他の潜在的に危険および／または目障りな特徴から保護し、同時に、これらの同一特徴への不正アクセスを防止する。
【００４０】
より具体的には、現在公知のキオスク設計は、電子構成要素を収納する、金属シャーシを採用する。外観を向上させ、スタックされた複数の本体と関連付けられた任意の継目を被覆する１つの方法は、キオスクの各側の管状支柱の使用を伴う。例えば、ＺＩＶＥＬＯ（ＴＭ）（ｗｗｗ．ｚｉｖｅｌｏ．ｃｏｍ）は、識別特徴として、キオスクの左および右の各側に支柱を利用している。これまでは、支柱は、常時、構造上、表面的であって、主に、装飾的であった。キオスク産業は、可能な限り多くの電子構成要素を可能な限り小空間（奥行および幅が薄い）に封入することに重点を置くことに転換しつつある。故に、１つの課題は、経路指定構成要素、ハードウェア、およびその支持特徴をキオスクキャビネット内に配索することに関わる。本ハードウェアへのアクセスを提供することは、奥行および幅が低減されるため、ますます困難となる。多くの状況では、キオスクの側面からいくつかの特徴およびハードウェアにアクセスすることが必要となっている。さらに、迅速かつ単純な除去方法が、必要とされる。
【００４１】
本発明は、したがって、継目を被覆する審美的機能ならびに取付システムを被覆する安全性機能を果たす、ブレードを検討する。本発明はさらに、先行技術の管状側面支柱に対して、キオスクの幅の外観を減少させる様式でブレードを製造し、それをキオスク上に据え付ける方法も検討する。
【００４２】
図１４は、ディスプレイ１４０２と、その中にフレーム１４０８が固着される張出部分１４０６を有する、面板または外板１４０４（以下により詳細に説明される）とを含む、キオスクアセンブリの一部を描写する。いったんフレーム１４０８が面板１４０４に固着されると、例えば、個別の搭載プレート１４１２を使用して、個別のブレード１４１０は、アセンブリの両側縁（左および右）に固着されてもよい。個別の端部キャップ１４１６および１４１６が、据え付けを完成するために、ブレードの端部に設置されてもよい。
【００４３】
図１５は、例示的実施形態による、スタッドアセンブリ１５３０および噛合ナットまたは他の締結具１５３２を使用して、図１４のフレーム１４０８の側１５０８へのブレード１５１０の取付を図示する、分解図である。図１６に見られるように、スタッドアセンブリ１６３０は、プレススタッド１５５０をブレード１６１０に固着し、それに応じて、ブレードが、スタッド１６５０をフレーム１６０８内の対応する孔１６０９の中に挿入し、ナットをスタッドの端部に固着することによって、フレーム１６０８に固着され得る、溶接プレート１６４０を備える。
【００４４】
容易に変更可能なブレードを採用することにより、キオスクは、異なる色（透明、半透明、または金属色を含む）、材料（アルミニウム、クロムを含む）、質感、および同等物のブレードを入れ替えることによって、またはブレード内に照明を追加し、ブレードの外観および機能をさらに向上させることによって、一新、修理、および／または別様にアップグレードされ得る。
【００４５】
概して図１の支柱搭載式キオスク１０８に類似する、両面キオスクの概説が、ここで、図１７および１８を参照して着手されるであろう。図１７は、第１のキオスク１７０２および第２のキオスク１７０４を含み、それぞれ、ヒンジ１７０８によって、中心シャーシまたはキャビネット１７０６に搭載される、両面キオスクシステム１７００を描写する。したがって、各キオスクは、キオスクの裏面および中心キャビネットの内部を暴露するために開放され得る、ドアとして機能する。両ドアが閉鎖されると、アセンブリは、図８および９に示される両面モデルに類似する。
【００４６】
図１８は、中心キャビネット１８０６と整合されて示される、構成要素ドアアセンブリ１８０４（以下により詳細に説明される）と、サブシャーシ１８０４とを含む、単一キオスク１８０２の分解図を示す。サブシャーシ１８０４の構築および組立は、以下により詳細に説明される。
【００４７】
当業者は、キオスクの所有者の全体的コストが購入決定における重要な要因であることを理解されるであろう。本発明は、種々の「将来においても有効であって」かつ「陳腐化を軽減する」技法を通して本懸念に対処し、これによって、構造特徴および考慮点が、キオスクの設計および製造に組み込まれ、これはともに、所有者の全体的コストおよびキオスクの寿命にわたる保守を削減する。
【００４８】
より具体的には、ディスプレイと非オリジナル機器ディスプレイを交換することは、特に、そうすることによってディスプレイが搭載されるシャーシもまた交換されなければならないことが余儀なくされるとき、高価かつ破壊的となり得る。実際、ディスプレイは、大部分のキオスクの主構成要素であって、通常、キオスクは、本質的に、ディスプレイの周囲に設計される。典型的先行技術のキオスク設計は、キオスクの前面または正面が、シャーシの一体型構成要素である、または実質的にディスプレイを含む構成要素を固着することを伴い、それによって、任意のアップグレードまたは異なるサイズのディスプレイとの交換を行うことが、キオスクの有意な改装を要求するようなものとなる。
【００４９】
社会通念として、電子構成要素の成功バージョンは、経時的により小型化する傾向にあり、したがって、より大型の構成要素統合の採用は、不必要と見なされている。しかしながら、これは、必ずしも、ディスプレイおよびタッチスクリーンには当てはまらない。実際、画面およびタッチ表面が最大限にされるにつれて、多くの場合、占有面積も、縦横比（高さ対幅比）を拡大、縮小、または変化するであろう。例えば、今日使用されている大部分の一般的タッチ技術は、ＩＲ（赤外線）およびＳＡＷ（表面音響波）である。次世代のタッチ技術は、一般に携帯電話において見出される、ＰＣＡＰ（投影型静電容量式）タッチスクリーンを採用する。本技術は、ガラスが画面の縁まで延在することを可能にし、これは、画面とキオスク本体との間の段差および出張りを除去するため、キオスクにおいて非常に望ましい。ＰＣＡＰディスプレイは、より大きく、開口部サイズも異なり、したがって、ＰＣＡＰディスプレイをＩＲまたはＳＡＷディスプレイのために設計されたキオスクの中に追加導入することは、ほぼ不可能である。
【００５０】
本発明は、既存の代替および／またはまだ未知のタッチならびに画面技術を伴うディスプレイ交換が可能となる、ディスプレイをキオスクの中に据え付ける方法を伴う。本方法は、連動して作用する、少なくとも２つの特徴を伴う。１つ目は、キオスクの正面として機能し、ディスプレイを近接して囲繞する、面板と称される、最終ファサード、ベゼル、または看板としての可撤性外板である。２つ目は、中間ブラケットを使用した将来的ディスプレイの据え付けのための計画的空間を伴う、ディスプレイの搭載である。これらの２つの特徴の組み合わせは、必要とされる場合、新しいディスプレイサイズに合致するための新しい面板を採用することによって、ディスプレイのコスト効果的交換またはアップグレードを可能にする。
【００５１】
ディスプレイ据付および交換の将来においても有効な技法を含む、図１８のサブシャーシ１８０４の構築および組立が、ここで、図１９−２２を参照して説明されるであろう。図１９は、ディスプレイ１９０６と、面板１９０８と、個別のブレード１９１０とを含む、組み立てられたサブシャーシ１９０４を描写する。図２０は、図１９に示されるサブシャーシの分解図であって、上部表面２０１３を有する、フレーム２０１１と、フレーム２０１１の上部部分２０１３にわたって固着されるように構成されるクリップまたはフック部分２００９を有する、面板２００８とを図示する。そのように組み立てられると、ブレード２０２０は、例えば、図１５に関して前述のように、取り付けられてもよい。
【００５２】
図２１は、その中にディスプレイ２１０６が、Ｖ、Ｚ、または同様に構成されたブラケット２１０７を使用して、取付部位２１０９に据え付けられることになる、開口部２１０５を含む、フレーム２１１３を描写する。図２２は、ブラケット２２０７を使用してフレーム２２００内に据え付けられ、異なって構成されたディスプレイが所望に応じて取り替えられることを可能にするために十分なサイズの間隙２２０９をもたらす、ディスプレイ２２０６を示す。図２０を一時的に参照すると、異なるサイズおよび／または構成の新しいディスプレイが据え付けられるとき、新しい面板もまた、新しく据え付けられるディスプレイの形状に近似して対応する開口部２０１５を含むように据え付けられてもよい。種々の実施形態では、間隙２２０９は、ゼロ〜数インチ、好ましくは、約３／４インチの範囲であってもよい。
【００５３】
図２３は、ディスプレイを交換するためのモジュール式アプローチがサブシャーシを使用せずに実装され得る、代替実施形態を示す。特に、図２３は、ディスプレイ２３０４が、ディスプレイ２３０４の構成に近似して合致する開口部２３０８を有する面板２３０６とともに交換可能に固着される、主シャーシ２３０２を図示する。面板２３０６はまた、本明細書に説明されるモジュール性特徴をさらに利用するために、構成要素ドア２３１０を含んでもよい。
【００５４】
さらなる代替実施形態では、分離可能ベゼルリングが、交換可能面板の代わりに、ディスプレイ開口部の周囲に採用されてもよい。本分離可能かつ交換可能ベゼルリングは、したがって、面板の交換を伴わずに、画面開口部を変化させることを可能にするであろう。本実施形態では、ベゼルリングは、面板の役割を担う。本代替実施形態では、面板は、固着構成要素およびさらにディスプレイブラケットのより従来の機能のうちのいくつかを維持することができる。本代替実施形態は、キオスク構造がアクセスのための背面ドアを可能にし、前面がキオスクの本体の一部またはそれに固定されるときに利用されてもよい。これは、前面フレームがドアであって、キオスクの内部へのアクセスとして作用する、好ましい実施形態と異なり、したがって、前面フレーム構造を余儀なくする。
【００５５】
本発明の別の「変化に耐えやすい」側面は、ユーザがともに相互作用する種々の構成要素を配置し、それらを交換可能構成要素ドア内に実装することを伴う。このように、前述の交換可能ディスプレイと同様に、ユーザが相互作用する、プリンタ、支払モジュール、ＡＤＡパッド、スピーカ、非常ボタン、スキャナ、援助要請ボタン（典型的には、盲目者のための触知（点字））、および他の機能モジュール等の種々の構成要素が、複数の構成要素のための複数の構成要素ドアを有することとは対照的に、交換可能構成要素を収納する単一の一体型構成要素ドアを交換することのみ必要としながら、再構成されてもよい。この点において、構成要素ドアおよび面板は、異なるサイズ／形状／場所構成要素ドアが使用される場合、面板が新しく構成された構成要素ドアを収容するように構成され得るという点において、ともに作用する。
【００５６】
より具体的には、図２４は、構成要素据付領域２４０４と、サブシャーシ２４０２に可撤性に取り付けられる、可撤性構成要素ドア２４０６とを含む、サブシャーシ（ドア）２４０２を描写する。図示される実施形態では、構成要素ドアは、支払モジュール２４０８を含む。キオスクが、構成要素を追加、除去、または交換するように更新されると、既存のサブシャーシが、無傷のままであって、構成要素の再構成に適応するために交換される必要がないように、新しい構成要素ドアが、古いものと代用される。
【００５７】
図２５Ａは、構成要素領域２５０４と、サービス人員による構成要素へのアクセスを提供する開放位置に示される、ヒンジ付き構成要素ドア２５０６とを含む、キオスク２５０２を描写する。図２５Ｂは、構成要素ドア２６０４が閉鎖位置にある、キオスク２６０２を示す。
【００５８】
図２６は、構成要素ドア構成および構成要素の対応する配列の種々の非限定的実施例を示す。特に、構成要素ドア２６０２は、支払デバイスの真下に搭載される第１のスキャナ２６０６を有する、支払デバイス２６０４と、スキャナに近接する、スピーカ２６０７と、ドアの中心の近傍にある、ナビゲーション２８１０と、右上の近傍にある、領収証プリンタと、ナビゲーションキーの真右にある、音量制御２８１２とを含む。代替実施形態では、構成要素ドア２６０３は、組み合わせられたプリンタ／スキャナ２８１６上に搭載される、支払デバイス２８１４を含み、音量制御２８１８が、ドアの左下に配置され、それとともに、ナビゲーションパッドが、右下角の近傍に配置される。種々の他の構成要素構成もまた、示される。
【００５９】
したがって、任意の数の構成要素構成および再構成が、本明細書に記載される種々のキオスクデバイスの状況において採用され得ることを理解されたい。構成要素を構成要素領域内に知的に構成することによって、構成要素が再構成されるとき、構成要素ドアのみ、交換される必要がある（シャーシまたはサブシャーシ全体とは対照的に）。
【００６０】
また、再構成可能構成要素ドアによって被覆されるタイプの構成要素領域内に便宜的に位置し得ない、ある構成要素は、交換／再構成される必要があり得ることを理解されたい。例えば、主キオスクコンピュータ（本明細書では、ＰＣと称される）は、典型的には、両面または片面キオスクシステムの主シャーシ内に収納される。しかしながら、図２７に見られるように、依然として、ＰＣをアップグレードするとき、本発明のモジュール性特徴を利用することが可能であり得る。特に、ＰＣバスケット２７０２を種々のＰＣサイズおよび構成２７０４、２７０６、および２７０８（前述の特大ディスプレイフレームに類似するサイズ）を収容するように構成することによって、主ＰＣは、最小限の労力、費用、および再組立を用いてアップグレードされ得る。
【００６１】
別の実施形態では、主シャーシは、構成要素ドアを再構成することによって適正に対処され得ない、構成要素の追加および／または再構成に適応するために、延在されてもよい。例えば、図２８を参照すると、構成要素ドア２８０４を再構成することによって便宜的に適応されることができない、プリンタロール２８０２等のいくつかの構成要素が存在し得る。そのような場合、可撤性裏面プレート２８０６をシャーシ２８０８の裏面から除去し、それをシャーシ延在部２８１０と交換し、シャーシの奥行を効果的に増加させ、再構成された構成要素（図示される実施形態では、紙ロール）を収容することが望ましくあり得る。ある後の時点で、シャーシが、再び拡張される必要がある場合、さらなる延在部２８１２が、据え付けられてもよい。
【００６２】
再び図１７を参照すると、主シャーシ１７０６は、１つまたはそれを上回る電力供給源と、電気構成要素のためのプラグと、主ＰＣと、照明と、サブシャーシドアが閉鎖されるときの構成要素領域の内容物と、種々の他の機器とを収納する。加えて、主シャーシは、キオスクアセンブリのための構造支持を提供する。しかしながら、伸長（上下）形状および薄型に起因して、主シャーシは、例えば、タッチスクリーンディスプレイ、種々の構成要素（例えば、キーパッド、呼出ボタン）とのユーザ相互作用、または単に人が構造に寄りかかった結果として生じる、捻転を受けやい。さらに、図２９に示されるように、開放位置における１つまたは２つのヒンジ付きサブシャーシの重量は、有意なトルクを主シャーシ２９０６に課し得る。図３０では、ブレードは、サブシャーシ３００４のヒンジ付き縁から除去され、主シャーシ３００６とのヒンジ３００５接続を露見させている。主シャーシ（ならびにサブシャーシ）をねじり力から保護することは、キオスク設計者にとって苛立たしい問題のままである。
【００６３】
ここで図３１を参照すると、主シャーシフレーム３１００は、個別の垂直に延在するＵ−チャネル（内向きに面した）側部材３１０８と、上部部材３１０１と、基部部材３１０３とを含む。続く議論の目的のために、主シャーシまたはキャビネット３１００は、上部領域３１０２と、中央領域３１０４と、底部領域３１０６とに分割され得る。種々の実施形態では、上部領域３１０２は、主ＰＣを収納し、故に、本領域内に補剛筋交部材を据え付けることは、問題となる。底部領域３１０６は、概して、前述の構成要素領域に対応し、故に、本領域内に補剛筋交部材を据え付けることは、同様に問題となる。しかしながら、交差筋交部材３１２０は、以下に説明されるように、中央領域３１０４内に便宜的に配置され得る。
【００６４】
図３２を参照すると、筋交部材３２０２が、主シャーシの左側部材３２０８（ａ）と右側部材３２０８（ｂ）を相互接続する。特に、筋交部材は、第１の脚部３２０２と、接合部３２１２において第１の脚部３２０２に交差する、第２の脚部３２０４とを含む。第１の脚部３２０２の上部は、中央領域３１０４の上部の近傍において、左側部材３２０８（ａ）の内側に取り付けられ、第１の脚部３２０２の底部は、中央領域３１０４の底部の近傍において、右側部材３２０８（ｂ）の内側に取り付けられる（図示せず）。同様に、第２の脚部３２０４の上部は、中央領域３１０４の上部の近傍において、右側部材３２０８（ｂ）の内側に取り付けられ、第２の脚部３２０４の底部は、中央領域３１０４の底部の近傍において、左側部材３２０８（ａ）の内側に取り付けられる。筋交部材３２０２の各脚部は、好適には、それが取り付けられる側部材に対して鋭角３２２２を形成する。さらに、筋交ブレースの脚部は、側部材の幅３２１０に対して実質的幅３２０６であるべきである。重要なこととして、接合部３２１２は、例えば、交差の線に沿って溶接を使用して、第１の脚部を第２の脚部に固着して取り付けなければならない。
【００６５】
ここで図３３を参照すると、底部領域３１０６は、上部の部材３１１０と、底部の部材３１０３と、左側の側部材３２０８（ａ）の下部と、右側の側部材３２０８（ｂ）の下部とによって画定された各側におけるテーパ状管類補強構造の使用を通して、ねじれに抵抗するために補強されてもよい。各テーパ状管類補強構造の中でも特に、テーパ状部材３３３０は、テーパ状部材３３３０が下向きに延在するにつれて、側部材３２０８（ａ）から内向きに延在し、継合部３３０５に沿って部材３１０３に取り付けられる。テーパ状管類補強構造は、好適には、ステッチ溶接マーキング３３０７によって示されるように、側部材３２０８（ａ）の内側にステッチ溶接または別様に固着される。
【００６６】
ここで図３４を参照すると、キャビネット３４０２の線ＸＸＸＩＶ−ＸＸＸＩＶに沿って得られた横断面図は、ねじれに対する付加的補剛を提供する筋交部材を含む、第２の管状補強構造３４０４を露見させる。図３５は、筋交部材３５０６の詳細図を示し、基部プレート３１０３は、明確にするために除去されている。
【００６７】
再び図３１を参照すると、中央領域３１０４は、電力供給源を収納するように構成されてもよい。したがって、部材３１１０は、構成要素領域（底部領域３１０６）から中央領域３１０４への手動アクセスを防止するように構成されてもよい。加えて、主キャビネットは、２つの別個のロック可能アクセス領域、すなわち、第１のキー不要領域（例えば、図２５の構成要素領域２５０４に対応する）と、アクセスするためにキーを要求する、第２のより高いセキュリティゾーン（例えば、領域３１０４および／または領域３１０２）とを含んでもよい。キー不要ゾーンは、プリンタへのアクセスを含んでもよく、一方の手で押ボタンを使用しながら、同時に、他方の手でラッチを引っ張ることによって、キー不要でアクセスされてもよく、それらは全て、ユーザに把握されることはなく、それによって、向上されたセキュリティと保守人員による容易なアクセスの必要性を平衡させる。
【００６８】
本発明は、液体侵入を阻止または防止し、かつキオスクを通した気流を促進するための種々の設計技法を検討する。最初に、図３６を参照すると、両面キオスクアセンブリ３６００は、第１のキオスク３６０２と、第２のキオスク３６０４と、その間に狭入された主キャビネット３６０６とを含む。アセンブリ、特に、２つのキオスク間の付近３６０８の中への液体侵入を防止することが所望される。屋外の実装では、雨および雪がアセンブリに進入しないように保つことが重要である。屋内の実装では、溢れた飲料および同等物がアセンブリに進入することを防止することが重要である。両実装では、そうでなければ液体侵入を被りやすくなり得る、空隙３６１０等の気流穿孔または他の開口部の使用を伴わずに、キオスクを通して気流を促進することもまた望ましい。
【００６９】
図３７は、両面キオスクアセンブリ３７０２の線Ｊ−Ｊに沿って得られた概略横断面図３７０４を示す。図示される実施例では、ディスプレイ３７０６は、面板、サブシャーシ（ドアシャーシ）、または中心シャーシに搭載され得る。横断面図３７０４は、空気入口経路３８１０と、空気放出経路３８１２とを備える、気流回路を図式的に図示する。
【００７０】
ここで図３８を参照すると、キオスクアセンブリ３８００は、第１の前面フレーム３８０２と、第２の前面フレーム３８０４と、外向きに面したＵまたはＣ形状チャネル周界３８１０を有する、中心シャーシ３８０６とを含む。各前面フレームは、好適には、チャネル３８１０と併せて、浸水を軽減する一方、同時に、空気放出を促進する、下向きに延在する辺縁３８１２を含む。具体的には、空気放出経路３８１２は、水分の跳ね返りがアセンブリの内部領域に進入しないように防止するように構成される。
【００７１】
図３９は、キャビネットのＵチャネルと相互作用し、ジグザグ経路を形成し、それによって、キオスクの中への浸水を防止し、キオスクからの空気流出を可能にする、張出／重複部分を有するキオスクフレームもまた含む、代替幾何学形状を図示する。加えて、幾何学形状は、間隙３９０２および３９０４を提供し、前面フレームが主キャビネットに対してヒンジ上で揺動することを可能にする。所望に応じて、ファンが、空気放出経路を加圧し、キオスクを通して気流をさらに促進するように構成されてもよい。
【００７２】
本発明はさらに、カウンタ天板上およびその中に搭載されるように構成され、カウンタをキオスクおよびそれと関連付けられた種々の構成要素を収容するように構成するためのキオスクを検討する。
【００７３】
図４０は、カウンタ天板の垂直表面に搭載される、複数のキオスクを示す。より具体的には、カウンタは、上部水平表面４００２と、上部表面４００２から下向きに延在する、正面垂直表面４００４と、正面表面４００４から張り出した４０１０出張り４００６とを含む。キオスク４０１１は、ディスプレイを含む、第１の区画４０１２と、接合部４０１６において継合される、第２の区画４０１４とを含む。接合部４０１６は、例えば、ゼロ〜１０インチ、好ましくは、約１〜４インチの範囲内の距離４０１８だけ上部表面４００２から離間される。図示されるように、第２の区画４０１４は、領収証を提供するためのスロット４０１５を含み、第１の区画４０１２は、支払モジュール４０２０を含む。第１の区画は、出張り４００６から後方に延在し、上部表面４００２から張り出す。第１の区画４０１２は、０〜９０度、好ましくは、約３０〜６０度の範囲内、最も好ましくは、約４５度において、上部表面４００２に対して角度（典型的には、鋭角）を形成する。キオスク４０１１は、風景画または肖像画モードで構成されてもよく、ブレードまたはリングを含んでもよい。
【００７４】
図４１に示される代替実施形態は、上部表面４１０４と、正面表面４１０６とを含む、タイプのカウンタに搭載される、キオスク４１２を含む。キオスク４１０２は、少なくとも部分的に上部表面４１０４から張り出す、第１の区画４１１０と、正面表面４１０６の一部に沿って延在する、第２の区画４１１２と、中間支持構造４１０８とを含む。キオスクは、上部表面４１０４、正面表面４１０６、または両方に固着されてもよい。
【００７５】
図４２は、キオスク（図示せず）の一部を受容するために上部と正面カウンタ表面の接合部に形成される陥凹またはカットアウト４２０４を有する、カウンタ４２０２を示す。図４３は、カウンタの辺縁または出張り４３０４を受容するように構成される陥凹４３０２を有する、キオスクを示す。カウンタはまた、キオスクに無線でまたは別様に接続され、性能を損なわずに、薄型キオスク外形を可能にし得る、構成要素を収納するための内部領域４３０６を含む。
【００７６】
図４４は、キオスクの一部、キオスクと関連付けられた構成要素、または両方のいずれかを受容するために上部カウンタ表面から離間される、陥凹４４０２を有する、カウンタを示す。
【００７７】
図４５は、キオスクの上側部分内の構成要素領域４５０４へのアクセスを提供するために第１の区画４５０１の背面表面上に配置される構成要素ドア４５０２を有する、キオスクを示す。図４６は、キオスクの下側部分内の構成要素領域４６０４へのアクセスを提供するための第２の区画４６０３の正面上の構成要素ドア４６０２を含む。図４７は、キオスクから遠隔のカウンタの内部に配置される、構成要素空洞４７０２を示す。キオスクは、遠隔構成要素と無線でまたは有線接続を介して、通信してもよい。
【００７８】
図４８は、キオスクがカウンタから引き出され、キオスクの裏面、内部空洞４８０４、または両方へのアクセスを提供することを可能にする、スライド機構４８０２を含む、代替実施形態を描写する。
【００７９】
図４９は、新しく据え付けられるディスプレイ４９０６の形状に対応する開口部４９０４を有する、前面フレーム４９０２を図示する。加えて、キオスクは、再構成された構成要素４９１０を収容するように構成される、交換可能構成要素ドア４９０８を有してもよい。
【００８０】
図５０は、例えば、コネクタ５００８を介して、カウンタ内への格納のために構成される１つまたはそれを上回る対応する構成要素５００６との通信を確立するための１つまたはそれを上回るプラグイン５００４を有する、キオスク５００２を図示する。
【００８１】
図５１は、第１の区画５１０２と、第２の区画５１０４と、キーボード、広告のための補助ディスプレイ、または種々の他の構成要素を支持し得る、中間区画５１０８とを有する、キオスクを搭載するためのカウンタ５１０６を図式的に図示する。種々の実施形態では、第１の区画５１０２の長さＬ１と第２の区画５１０４の長さＬ２の比率は、５：１〜１：５、好ましくは、約２：１〜１：２の範囲、最も好ましくは、約１：１であってもよい。
【００８２】
図５２は、顧客による使用のための第１の画面５２０２と、顧客サービス従業員による使用のための第２の画面５２０４とを含む、両面カウンタ天板キオスク５２００である。図５２に示される三角形実施形態は、デジタルパーソナル相互作用体験キオスクと称される。
【００８３】
本発明はさらに、カウンタ天板を改造し、前述の実施形態を収容することも検討する。
【００８４】
したがって、プリンタ、スキャナ、クレジットカード支払デバイス、キーパッド、スピーカ、およびマイクロホンのうちの少なくとも１つを収容するように構成される、交換可能構成要素ドアと、少なくとも２つのディスプレイサイズを収容するように構成される、ディスプレイシャーシと、少なくとも２つのＰＣ構成を受容するように構成される、ＰＣカートリッジと、相互交換可能側面ブレードとを含む、改良されたキオスクが、提供される。
【００８５】
したがって、サブシャーシと、略長方形開口部を有する、可撤性に取り付けられる面板とを含む、タイプのキオスク内のディスプレイを変更するための方法が、提供され、本方法は、面板をサブシャーシから除去するステップと、第１の周界を有する第１のディスプレイをサブシャーシに固着するように構成される、第１のブラケットを除去するステップと、第１のディスプレイをサブシャーシから除去するステップと、第１のブラケットと異なる第２のブラケットを使用して、第２の周界を有する第２のディスプレイをサブシャーシの中に据え付けるステップとを含み、第１の周界は、第２の周界と異なり、さらに、第１および第２の周界は両方とも、略長方形開口部内に嵌合する。
【００８６】
キオスクを更新するための方法もまた、提供され、本方法は、第１の開口部を有する第１の面板をサブシャーシから除去するステップと、第１の開口部に対応する第１のサイズを有する第１のディスプレイをサブシャーシから除去するステップと、第２のサイズを有する第２のディスプレイをサブシャーシに固着するステップと、第２の面板をサブシャーシに取り付けるステップであって、第２の面板は、第２のディスプレイに対応する第２の開口部を有する、ステップとを含む。
【００８７】
ある実施形態では、第１のディスプレイを除去するステップは、第１のディスプレイをサブシャーシ内に固着するように構成される第１のブラケットを除去するステップを含み、第２のディスプレイを固着するステップは、第１のブラケットと異なる第２のブラケットをサブシャーシと第２のディスプレイとの間に据え付けるステップを含む。
【００８８】
ある実施形態では、第２の面板を取り付けるステップは、第２の開口部と第２のディスプレイを整合させるステップと、第２の面板の上部辺縁をサブシャーシの上部縁にわたって掛着するステップとを含む。
【００８９】
ディスプレイと、ユーザ双方向構成要素の一部をその中に収納するように構成される、シャーシとを含む、タイプのキオスクを保守するための方法もまた、提供され、本方法は、第１の構成要素ドアをシャーシから除去するステップであって、第１の構成要素ドアは、第１のユーザ双方向構成要素を収容するように適合される、第１の構成を有する、ステップと、第１のユーザ双方向構成要素を除去するステップと、第１のユーザ双方向構成要素と第２のユーザ双方向構成要素を交換するステップと、第２の構成要素ドアをシャーシ上に据え付けるステップであって、第２の構成要素ドアは、第２のユーザ双方向構成要素を収容するように適合される、第２の構成を有する、ステップとを含む。
【００９０】
ある実施形態では、第１および第２のユーザ双方向構成要素は、同一機能を行うが、サイズ、形状、およびシャーシ内の場所のうちの少なくとも１つにおいて異なる。
【００９１】
ある実施形態では、第１および第２のユーザ双方向構成要素はそれぞれ、プリンタ、キーパッド、スキャナ、および支払モジュールのうちの１つを備える。
【００９２】
小売環境において製品を表示し、製品のための顧客注文を処理するためのシステムもまた、提供され、本システムは、ともに継合され、単封入体および円周方向リングによって囲繞される、１つまたはそれを上回るベゼルレスディスプレイを有する、デジタル標識と、カウンタ搭載式キオスクであって、カウンタ表面の上方に浮設されるように構成される、第１の区画、および第１の区画から下向きに延在する、第２の区画を有し、第１の区画は、ディスプレイを収納し、支払モジュールを含み、第２の区画は、以下の構成要素、すなわち、プリンタ、非常ボタン、およびスキャナのうちの少なくとも１つを含む、カウンタ搭載式キオスクと、タッチスクリーンディスプレイを含む、自立式キオスクと、テーブルの表面内に搭載されるタッチスクリーンディスプレイを有する、少なくとも１つのテーブルとを備え、カウンタ搭載式キオスク、自立式キオスク、およびテーブルはさらに、リングおよびブレードのうちの少なくとも１つを備える。
【００９３】
ディスプレイを含む正面側と、裏面側と、正面側および裏面側に跨架する縁とを有する、略長方形キャビネットを備える、タイプのキオスクと併用するためのブレードもまた、提供される。ある実施形態では、ブレードは、キャビネット縁の少なくとも一部に沿って延在し、断面において、第１の端部と、第２の端部と、第１の端部と第２の端部との間の中央部分とを有する、伸長ストリップを含み、第１の端部は、正面側に接触するように構成され、第２の端部は、裏面側に接触するように構成され、中央部分は、縁から離間される。
【００９４】
ある実施形態では、ブレードはさらに、ブレードを縁に解放可能に固着するように構成される、複数の締結具アセンブリを含み、各締結具アセンブリは、縁内の対応する孔の中への挿入のために中央部分の凹面表面から延在する、スタッドを備えてもよい。
【００９５】
キオスクにおいて使用するためのサブシャーシもまた、提供され、サブシャーシは、ディスプレイ周界によって特徴付けられる、ディスプレイを収納するように構成される、フレームと、ディスプレイ周界に対応する開口部を有する、略平面面板とを備え、面板は、ディスプレイが開口部を通して可視であるように、フレーム上に載置されるように構成される。
【００９６】
ある実施形態では、フレームおよび面板は、面板がフレーム上に載置されると、継目を形成し、サブシャーシはさらに、サブシャーシに固着され、継目に沿って延在する、ブレードを含む。
【００９７】
ある実施形態では、ブレードは、フレームおよび面板の個別の側縁を包囲する内向きに面したＣ−チャネルを備える。
【００９８】
ある実施形態では、フレームはさらに、少なくとも２つの異なるディスプレイサイズを開口部の中に選択的に固着するように構成される、ブラケットアセンブリを備える。
【００９９】
第１および第２の反対に配置され、垂直に延在する、Ｕ−チャネル側部材と、第１の側部材と第２の側部材との間に配置される、上部領域、中央領域、および底部領域と、中央領域内に配置され、第１の側部材と第２の側部材との間に延在する、筋交ブレースであって、ともに固着される２つの交差部材を備える、筋交ブレースとを含む、キオスクシャーシもまた、提供される。
【０１００】
ある実施形態では、キオスクシャーシはさらに、上部領域内に配置される、ディスプレイと、２つの交差部材間において中央領域内に配置される、電力供給源とを含む。
【０１０１】
ある実施形態では、キオスクシャーシはさらに、それぞれ、第１および第２の側部材に固着され、底部領域内に配置される、第１および第２のテーパ状管状補強部材を含む。
【０１０２】
ある実施形態では、キオスクシャーシはさらに、キオスクシャーシの正面側に接続される電子構成要素を含む、サブシャーシを備え、電子構成要素は、サブシャーシが閉鎖位置にあるとき、底部領域内に配置される。
【０１０３】
カウンタに搭載するために構成される、キオスクカウンタもまた、提供され、カウンタは、水平表面を有する第１の部分と、略垂直構成要素を有する第２の部分とを含む、タイプである。キオスクは、水平表面の上方に延在し、第１の区画の正面表面上の略平面タッチスクリーンディスプレイ、第１の区画の背面表面上に配置されるアクセスパネル、タッチスクリーンを使用して選択されたアイテムのための支払を処理するように構成される支払モジュールを含む、第１の略長方形区画と、第１の区画から下向きに延在する、第２の略長方形区画とを含む。第１の区画の正面表面は、１０〜８０度の範囲内においてカウンタの水平表面に対して第１の角度で傾斜され、水平表面の少なくとも一部は、第１の区画と第２の区画との間に配置される。
【０１０４】
ある実施形態では、第１の区画はさらに、裏面表面を備え、第１の区画の正面表面および裏面表面は、略平行である。
【０１０５】
ある実施形態では、キオスクはさらに、キオスクの周界の周囲に延在する、連続円周方向リングを備える。
【０１０６】
ある実施形態では、カウンタは、その中に形成される起伏を備え、キオスクの少なくとも一部は、起伏内に着座される。
【０１０７】
種々の実施形態では、第１の区画、第２の区画、または両方の区画のいずれかは、カウンタに搭載されてもよい。
【０１０８】
ある実施形態では、第１の区画は、第２の区画に接続される。
【０１０９】
ある実施形態では、第１の区画は、カウンタの水平表面に係合するように構成される、平坦な水平底部部分を含む。
【０１１０】
ある実施形態では、カウンタは、カウンタ辺縁の第２の部分から張り出した軒天を備え、キオスクは、軒天の一部を受容するように構成される、陥凹を備える。
【０１１１】
ある実施形態では、キオスクの第２の区画は、少なくとも１つのユーザ双方向構成要素を収納するように構成される、構成要素空洞を備える。
【０１１２】
ある実施形態では、少なくとも１つのユーザ双方向構成要素は、プリンタ、スキャナ、支払モジュール、およびキーパッドのうちの１つを備える。
【０１１３】
ある実施形態では、カウンタはさらに、少なくとも１つのユーザ双方向構成要素の一部を収納するように構成される、内部空洞を備える。
【０１１４】
ある実施形態では、キオスクの第２の区画は、少なくとも１つのユーザ双方向構成要素を収納するように構成される、構成要素空洞を備え、さらに、構成要素空洞は、内部空洞と連続的である。
【０１１５】
ある実施形態では、キオスクはさらに、タッチスクリーンの中に統合される、支払モジュールを備える。
【０１１６】
ある実施形態では、キオスクはさらに、第１の区画から延在する、支払モジュールを備える。
【０１１７】
ある実施形態では、キオスクの第２の区画は、カウンタの第２の部分と略平行である。
【０１１８】
ある実施形態では、第２の区画は、その裏面側上に可撤性アクセスパネルを備える。
【０１１９】
水平カウンタ表面と、水平表面の正面縁に対して下向きに延在する支持区分とを有し、水平表面と支持区分との間の内部領域を形成する、タイプのカウンタに沿って分散され、その中に統合されるように構成される、複数のキオスクを含む、キオスクシステムもまた、提供される。各キオスクは、第１の区画であって、水平表面の上方に延在し、その正面表面上に双方向ディスプレイを含む、第１の区画と、第１の区画から下向きに延在する、第２の区画と、第３の区画であって、内部領域の一部の中に延在し、ユーザ双方向構成要素を収納する、第３の区画とを含んでもよい。
【０１２０】
ある実施形態では、第１の区画の一部は、水平線に沿って第２の区画の一部に交差し、水平線は、ｉ）水平表面の上方、ｉｉ）水平表面と略同一平面、およびｉｉｉ）水平表面の水平の下方のうちの１つに配置される。
【０１２１】
ある実施形態では、各キオスクはさらに、領収証を印刷するように構成される、プリンタを備え、プリンタは、第１の区画および第２の区画のうちの１つに接続される。
【０１２２】
ある実施形態では、各キオスクはさらに、ディスプレイと関連付けられた第１のプロセッサと、第２のプロセッサを有する、支払モジュールとを備える。
【０１２３】
ある実施形態では、キオスクシステムはさらに、複数のキオスクのそれぞれから遠隔であって、それらによって共有される、プリンタを含む。
【０１２４】
本明細書で使用されるように、単語「例示的」とは、「実施例、事例、または例証としての役割を果たす」ことを意味する。「例示」としての本明細書に説明される任意の実装は、必ずしも、他の実装よりも好ましいまたは有利であると解釈されるべきではなく、文字通りに複製されなければならないモデルとして解釈されることを意図するものでもない。
【０１２５】
前述の発明を実施するための形態は、当業者に本発明の種々の実施形態を実装するための便宜的指針を提供するであろうが、前述の特定の実施形態は、実施例にすぎず、本発明の範囲、可用性、または構成をいかようにも限定することを意図するものではないことを理解されたい。対照的に、種々の変更が、本発明の範囲から逸脱することなく、説明される要素の機能および配列に成され得る。
【図１】
2018532207.tif 000003
【図２】
2018532207.tif 000004
【図３】
2018532207.tif 000005
【図４】
2018532207.tif 000006
【図５】
2018532207.tif 000007
【図６】
2018532207.tif 000008
【図７】
2018532207.tif 000009
【図８】
2018532207.tif 000010
【図９】
2018532207.tif 000011
【図１０】
2018532207.tif 000012
【図１１】
2018532207.tif 000013
【図１２】
2018532207.tif 000014
【図１３】
2018532207.tif 000015
【図１４】
2018532207.tif 000016
【図１５】
2018532207.tif 000017
【図１６】
2018532207.tif 000018
【図１７】
2018532207.tif 000019
【図１８】
2018532207.tif 000020
【図１９】
2018532207.tif 000021
【図２０】
2018532207.tif 000022
【図２１】
2018532207.tif 000023
【図２２】
2018532207.tif 000024
【図２３】
2018532207.tif 000025
【図２４】
2018532207.tif 000026
【図２５Ａ】
2018532207.tif 000027
【図２５Ｂ】
2018532207.tif 000028
【図２６】
2018532207.tif 000029
【図２７】
2018532207.tif 000030
【図２８】
2018532207.tif 000031
【図２９】
2018532207.tif 000032
【図３０】
2018532207.tif 000033
【図３１】
2018532207.tif 000034
【図３２】
2018532207.tif 000035
【図３３】
2018532207.tif 000036
【図３４】
2018532207.tif 000037
【図３５】
2018532207.tif 000038
【図３６】
2018532207.tif 000039
【図３７】
2018532207.tif 000040
【図３８】
2018532207.tif 000041
【図３９】
2018532207.tif 000042
【図４０】
2018532207.tif 000043
【図４１】
2018532207.tif 000044
【図４２】
2018532207.tif 000045
【図４３】
2018532207.tif 000046
【図４４】
2018532207.tif 000047
【図４５】
2018532207.tif 000048
【図４６】
2018532207.tif 000049
【図４７】
2018532207.tif 000050
【図４８】
2018532207.tif 000051
【図４９】
2018532207.tif 000052
【図５０】
2018532207.tif 000053
【図５１】
2018532207.tif 000054
【図５２】
2018532207.tif 000055
【国際調査報告】
2018532207.tif 000056
2018532207.tif 000057
2018532207.tif 000058